【手続補正書】
【提出日】平成16年4月12日(2004.4.12)
【手続補正１】
【補正対象書類名】明細書
【補正対象項目名】発明の名称
【補正方法】変更
【補正の内容】
【発明の名称】携帯無線通信端末、状態制御方法および記録媒体
【手続補正２】
【補正対象書類名】明細書
【補正対象項目名】特許請求の範囲
【補正方法】変更
【補正の内容】
【特許請求の範囲】
【請求項１】
携帯型の電話端末として動作する電話モードと、前記携帯型の電話端末用の電話網を通じて送られてくるデータを受信して表示するようにするデータ通信モードとを有する携帯無線通信端末であって、
前記携帯型の電話端末用の電話網を通じて送られてくる前記データを表示する表示素子と、
前記表示素子の表示面が設けられた本体部と、
前記表示面の一部あるいは全部を実質的に覆い、前記本体部と一体的な状態になる第１の状態と、前記表示面を覆うことがなく、前記本体部とは異なる部位を形成する第２の状態とに変移可能なように前記本体部に取り付けられるカバー板部と、
前記カバー板部が前記第１の状態にあるか、前記第２の状態にあるかを検出する検出手段と、
前記検出手段からの検出結果に応じて、前記カバー板部が前記第１の状態にあるときには、前記電話モードとなるようにすると共に、低消費電力状態となるように制御し、前記カバー板部が前記第２の状態にあるときには、前記データ通信モードとなるようにすると共に、前記低消費電力状態に比べて、大きい電力状態となるように制御する制御手段と
を備えることを特徴とする携帯無線通信端末。
【請求項２】
前記制御手段は、前記カバー板部が前記第１の状態にあるときには、クロック信号の周波数を低く維持するように制御し、前記カバー板部が前記第２の状態にあるときには、クロック信号の周波数を高く維持するように制御することを特徴とする請求項１に記載の携帯無線通信端末。
【請求項３】
前記制御手段は、
前記カバー板部が前記第１の状態にある前記電話モードであって、待ち受け状態にあるときには、前記表示素子の表示面には表示を行わないように制御し、
前記カバー板部が前記第１の状態にある前記電話モードであって、少なくとも発呼時においては、前記カバー板部によって実質的には覆われていない前記表示面の表示領域のみを用いて情報を表示するように制御し、
前記カバー板部が前記第２の状態にあるときには、前記表示面の全表示領域を用いて情報を表示するように制御することを特徴とする請求項１または請求項２に記載の携帯無線通信端末。
【請求項４】
前記データ通信モードは、前記携帯型の電話端末用の電話網を一部に含むネットワークを通じてサーバ装置と無線接続され、このサーバ装置からの情報を取得して前記表示素子の表示面に表示するようにするものであり、
前記サーバ装置に対して無線接続する処理を開始させるための操作手段を、前記カバー板部が前記第１の状態にあるときには、露出せず操作不能となる位置であって、前記カバー板部が前記第２の状態にあるときには露出して操作可能とされる位置に、設けることを特徴とする請求項１に記載の携帯無線通信端末。
【請求項５】
前記操作手段は、前記本体部に設けられた前記表示素子の表示面と対向する前記カバー板部の面に設けられることを特徴とする請求項４に記載の携帯無線通信端末。
【請求項６】
携帯型の電話端末として動作する電話モードと、前記携帯型の電話端末用の電話網を通じて送られてくるデータを受信して表示するようにするデータ通信モードとを有し、前記携帯型の電話端末用の電話網を通じて送られてくる前記データを表示する表示素子と、  前記表示素子の表示面が設けられた本体部と、前記表示面の一部あるいは全部を実質的に覆い、前記本体部と一体的な状態になる第１の状態と、前記表示面を覆うことがなく、前記本体部とは異なる部位を形成する第２の状態とに変移可能なように前記本体部に取り付けられるカバー板部とを備えた携帯無線通信端末で用いられる状態制御方法であって、
前記カバー板部が前記第１の状態にあるか、前記第２の状態にあるかを検出する検出ステップと、
前記検出ステップにおいての検出結果に応じて、前記カバー板部が前記第１の状態にあるときには、前記電話モードとなるようにすると共に、低消費電力状態となるように制御し、前記カバー板部が前記第２の状態にあるときには、前記データ通信モードとなるようにすると共に、前記低消費電力状態に比べて、大きい電力状態となるように制御する制御ステップと
を有することを特徴とする状態制御方法。
【請求項７】
携帯型の電話端末として動作する電話モードと、前記携帯型の電話端末用の電話網を通じて送られてくるデータを受信して表示するようにするデータ通信モードとを有し、前記携帯型の電話端末用の電話網を通じて送られてくる前記データを表示する表示素子と、  前記表示素子の表示面が設けられた本体部と、前記表示面の一部あるいは全部を実質的に覆い、前記本体部と一体的な状態になる第１の状態と、前記表示面を覆うことがなく、前記本体部とは異なる部位を形成する第２の状態とに変移可能なように前記本体部に取り付けられるカバー板部とを備えた携帯無線通信端末で用いられるプログラムが記録された記録媒体であって、
前記カバー板部が前記第１の状態にあるか、前記第２の状態にあるかを検出する検出ステップと、
前記検出ステップにおいての検出結果に応じて、前記カバー板部が前記第１の状態にあるときには、前記電話モードとなるようにすると共に、低消費電力状態となるように制御し、前記カバー板部が前記第２の状態にあるときには、前記データ通信モードとなるようにすると共に、前記低消費電力状態に比べて、大きい電力状態となるように制御する制御ステップと
を有する状態制御プログラムが記録された記録媒体。
【手続補正３】
【補正対象書類名】明細書
【補正対象項目名】０００１
【補正方法】変更
【補正の内容】
【０００１】
【発明の属する技術分野】
この発明は、例えば、ＰＨＳ（パーソナル・ハンディホン・システム）用や携帯電話用などの携帯無線通信網を用いて、例えばファクシミリ通信や電子メール通信などのデータ通信を行うことができる携帯無線通信端末、この通信端末で用いられる方法および記録媒体に関する。


【手続補正４】
【補正対象書類名】明細書
【補正対象項目名】００１１
【補正方法】変更
【補正の内容】
【００１１】
この発明は、以上の点にかんがみ、携帯性を損なわずに、電話端末としての機能と、電子メールのやり取りや、ファクシミリ通信などを可能にするデータ通信機能とを備え、かつ、使い勝手のよい携帯無線通信端末を提供するとともに、この携帯無線通信端末で用いられる方法および記録媒体を提供するものである。


【手続補正５】
【補正対象書類名】明細書
【補正対象項目名】００３３
【補正方法】変更
【補正の内容】
【００３３】
【発明の実施の形態】
以下、この発明による携帯無線通信端末、これに適用されたこの発明による状態制御方法および記録媒体の実施の形態を、図を参照しながら説明する。


【手続補正６】
【補正対象書類名】明細書
【補正対象項目名】０１４５
【補正方法】変更
【補正の内容】
【０１４５】
【発明の効果】
以上説明したように、この発明によれば、カバーパネル板部の開閉に応じて、電話モードとデータ通信モードとを切り換えることができるため、誤操作をまねくことなく、ユーザの目的に応じたモードに簡単かつ確実に切り換えることができる。


【手続補正７】
【補正対象書類名】明細書
【補正対象項目名】０１４６
【補正方法】変更
【補正の内容】
【０１４６】
また、この発明によれば、カバーパネル板部の開閉に応じて、モードを切り換えることができると共に、モードに応じた消費電力状態となるようにしたり、モードに応じた周波数のクロック信号を用いるようにしたり、モードに応じて表示領域を切り換えることができる。これにより、消費電力の省力化を図ることができる。


【手続補正８】
【補正対象書類名】明細書
【補正対象項目名】０１４７
【補正方法】変更
【補正の内容】
【０１４７】
また、この発明によれば、データ通信モード時に使用される操作手段は、カバーパネル板部が第２の状態にある場合にだけ操作可能となるため、電話モード時に操作手段を操作することがなくなる。すなわち、誤操作などにより無駄にサーバ装置に対して回線を接続することもなく、無駄に回線使用料がかかることを防止することができる。


【手続補正９】
【補正対象書類名】明細書
【補正対象項目名】０１４８
【補正方法】変更
【補正の内容】
【０１４８】
また、この発明によれば、データ通信モード時に使用される操作手段は、カバーパネル板部に設けられるため、操作手段が設けられることにより、本体部に設けられる表示素子の表示面を狭くすることがない。